(57)【要約】【課題】  分光計よりもコストが低いＩＲＧＢ濃度計を用いて、ＯＫシートが印刷されるのを待つまでもなく印刷開始直後から印刷依頼元等が所望する色調に正確、且つ容易に色合わせできるようにする。【解決手段】  まず、外部から取得した印刷対象絵柄のｋｃｍｙ網点面積率データから網点面積率を求め、この網点面積率を、同じく外部から取得した基準印刷機のＩＣＣプロファイルと、自機のＩＣＣプロファイルとを用いて自機に対応した各インキ色の目標網点面積率を求める。また、この目標網点面積率から目標単色網濃度を求めておく。この後、印刷を開始し、ＩＲＧＢ濃度計を用いて、印刷された本刷りシートの実混色網濃度を求め、この実混色網濃度から実単色網濃度を求める。そして、上記目標網点面積率のもとでの目標単色網濃度と実単色網濃度との偏差に対応するベタ濃度偏差を求め、これに基づいて自機のインキ供給量を調整する。【選択図】        図２
2005205661.tif 000002
【特許請求の範囲】
【請求項１】
外部から印刷対象絵柄のｋｃｍｙ網点面積率データと色調の基準になる基準印刷機のＩＣＣプロファイルとを取得するステップと、
上記印刷対象絵柄のｋｃｍｙ網点面積率データから網点面積率を求めるステップと、
上記基準印刷機のＩＣＣプロファイルと自機のＩＣＣプロファイルとを用いて上記網点面積率から上記自機に対応した各インキ色の目標網点面積率を求めるステップと、
予め設定した網点面積率と単色網濃度との対応関係に基づき、上記目標網点面積率に対応する目標単色網濃度を求めるステップと、
ＩＲＧＢ濃度計を用いて、印刷された本刷りシートの実混色網濃度を求めるステップと、
予め設定した網点面積率と混色網濃度との対応関係に基づき、上記実混色網濃度に対応する各インキ色の実網点面積率を求めるステップと、
上記の予め設定した網点面積率と単色網濃度との対応関係に基づき、上記実網点面積率に対応する実単色網濃度を求めるステップと、
予め設定した網点面積率と単色網濃度とベタ濃度との対応関係に基づき、上記目標網点面積率のもとでの上記目標単色網濃度と上記実単色網濃度との偏差に対応するベタ濃度偏差を求めるステップと、
上記ベタ濃度偏差に基づき上記自機のインキ供給量を調整するステップとを実行する
ことを特徴とする、印刷機の絵柄色調制御方法。
【請求項２】
上記基準印刷機のＩＣＣプロファイルは上記基準印刷機での網点面積率と色座標値との対応関係を規定した変換テーブルであるとともに、上記自機のＩＣＣプロファイルは上記自機での網点面積率と色座標値との対応関係を規定した変換テーブルであり、
上記目標網点面積率を求めるステップでは、上記基準印刷機のＩＣＣプロファイルを用いて上記網点面積率に対応する色座標値を求めた後、上記自機のＩＣＣプロファイルを用いて上記色座標値に対応する網点面積率を求める
ことを特徴とする、請求項１記載の印刷機の絵柄色調制御方法。
【請求項３】
上記網点面積率を求めるステップでは、印刷対象絵柄をインキ供給装置のインキ供給単位幅で分割したときの上記インキ供給単位幅毎の網点面積率を求め、
上記実混色網濃度を求めるステップでは、上記インキ供給単位幅毎に実混色網濃度を求め、
上記インキ供給量を調整するステップでは、上記インキ供給単位幅毎にインキ供給量を調整する
ことを特徴とする、請求項１又は２記載の印刷機の絵柄色調制御方法。
【請求項４】
上記取得ステップと上記網点面積率を求めるステップとの間に、上記印刷対象絵柄を構成する画素の中から上記インキ供給単位幅毎に各インキ色に対応する注目画素をそれぞれ選定するステップをさらにそなえ、
上記網点面積率を求めるステップでは、上記注目画素の網点面積率を求め、
上記実混色網濃度を求めるステップでは、上記注目画素の実混色網濃度を求める
ことを特徴とする、請求項３記載の印刷機の絵柄色調制御方法。
【請求項５】
上記注目画素を選定するステップでは、上記印刷対象絵柄のｋｃｍｙ網点面積率データに基づいて印刷対象絵柄の画像を表示装置に表示し、上記表示された印刷対象絵柄の画像から上記注目画素を選定する
ことを特徴とする、請求項４記載の印刷機の絵柄色調制御方法。
【請求項６】
上記注目画素を選定するステップでは、インキ供給単位幅毎に、一画素，連続する一塊の複数画素，全画素の何れかを上記注目画素として選定する
ことを特徴とする、請求項４又は５記載の印刷機の絵柄色調制御方法。
【請求項７】
上記注目画素を選定するステップで、連続する一塊の複数画素，全画素の何れかを上記注目画素として選定した場合、
上記網点面積率を求めるステップでは、上記の複数の画素からなる画素群の平均網点面積率を求め、
上記実混色網濃度を求めるステップでは、上記画素群の実平均混色網濃度を求めることを特徴とする、請求項６記載の印刷機の絵柄色調制御方法。
【請求項８】
上記注目画素を選定するステップでは、上記注目画素としてインキ色毎に各画素の網点面積率に対して最も自己相関が大きい画素を自動抽出する
ことを特徴とする、請求項４記載の印刷機の絵柄色調制御方法。
【請求項９】
上記注目画素を選定するステップでは、上記注目画素としてインキ色毎に各画素の網点面積率に対して最も自己相関が大きい画素とその周辺の複数の画素からなる画素群を自動抽出し、
上記網点面積率を求めるステップでは、上記画素群の平均網点面積率を求め、
上記実混色網濃度を求めるステップでは、上記画素群の実平均混色網濃度を求める
ことを特徴とする、請求項４記載の印刷機の絵柄色調制御方法。
【請求項１０】
予め設定した網点面積率と色座標値との対応関係に基づき、上記目標網点面積率に対応する目標色座標値を求めるステップと、
予め設定した混色網濃度と色座標値との対応関係に基づき、上記ＩＲＧＢ濃度計で計測された上記注目画素の実混色網濃度に対応する実色座標値を求めるステップと、
上記目標色座標値と上記実色座標値との色差を求めるステップと、
上記実色座標値及び上記色差の少なくとも１つを表示装置に表示するステップとをさらに実行する
ことを特徴とする、請求項４〜９の何れか１項に記載の印刷機の絵柄色調制御方法。
【請求項１１】
上記取得ステップでは、記憶媒体又はネットワークを介して、上記印刷対象絵柄のｋｃｍｙ網点面積率データと上記基準印刷機のＩＣＣプロファイルとを取得する
ことを特徴とする、請求項１〜１０の何れか１項に記載の印刷機の絵柄色調制御方法。
【請求項１２】
上記取得ステップでは、最初に印刷対象絵柄のビットマップデータを取得して、上記ビットマップデータをＣＩＰ３データ相当の低解像度データに変換したものを上記印刷対象絵柄のｋｃｍｙ網点面積率データとして用いる
ことを特徴とする、請求項１〜１１の何れか１項に記載の印刷機の絵柄色調制御方法。
【請求項１３】
外部から印刷対象絵柄のｋｃｍｙ網点面積率データと色調の基準になる基準印刷機のＩＣＣプロファイルとを受信する受信手段と、
上記印刷対象絵柄のｋｃｍｙ網点面積率データから網点面積率を求める網点面積率演算手段と、
上記基準印刷機のＩＣＣプロファイルと自機のＩＣＣプロファイルとを用いて上記網点面積率から上記自機に対応した各インキ色の目標網点面積率を求める目標網点面積率演算手段と、
予め設定した網点面積率と単色網濃度との対応関係に基づき、上記目標網点面積率に対応する目標単色網濃度を求める目標単色網濃度演算手段と、
印刷シートにインキを供給するインキ供給装置と、
印刷された本刷りシートの走行ライン上に配置されたＩＲＧＢ濃度計と、
上記ＩＲＧＢ濃度計により得られた計測情報から上記本刷りシートの実混色網濃度を求める実混色網濃度演算手段と、
予め設定した網点面積率と混色網濃度との対応関係に基づき、上記実混色網濃度に対応する各インキ色の実網点面積率を求める実網点面積率演算手段と、
上記の予め設定した網点面積率と単色網濃度との対応関係に基づき、上記実網点面積率に対応する実単色網濃度を求める実単色網濃度演算手段と、
予め設定した網点面積率と単色網濃度とベタ濃度との対応関係に基づき、上記目標網点面積率のもとでの上記目標単色網濃度と上記実単色網濃度との偏差に対応するベタ濃度偏差を求めるベタ濃度偏差演算手段と、
上記ベタ濃度偏差に基づき上記インキ供給装置のインキ供給量を調整するインキ供給量調整手段とを備えた
ことを特徴とする、印刷機の絵柄色調制御装置。
【請求項１４】
上記基準印刷機のＩＣＣプロファイルは上記基準印刷機での網点面積率と色座標値との対応関係を規定した変換テーブルであるとともに、上記自機のＩＣＣプロファイルは上記自機での網点面積率と色座標値との対応関係を規定した変換テーブルであり、
上記目標網点面積率演算手段は、
上記基準印刷機のＩＣＣプロファイルを用いて上記網点面積率に対応する色座標値を求めた後、上記自機のＩＣＣプロファイルを用いて上記色座標値に対応する網点面積率を求める
ことを特徴とする、請求項１３記載の印刷機の絵柄色調制御装置。
【請求項１５】
上記網点面積率演算手段は、印刷対象絵柄をインキ供給装置のインキ供給単位幅で分割したときの上記インキ供給単位幅毎の網点面積率を求め、
上記実混色網濃度演算手段は、上記インキ供給単位幅毎に実混色網濃度を求め、
上記インキ供給量調整手段は、上記インキ供給単位幅毎にインキ供給量を調整する
ことを特徴とする、請求項１３又は１４記載の印刷機の絵柄色調制御装置。
【請求項１６】
上記印刷対象絵柄を構成する画素の中から上記インキ供給単位幅毎に各インキ色に対応する注目画素をそれぞれ設定する注目画素設定手段をさらにそなえ、
上記網点面積率演算手段は、上記注目画素の網点面積率を求め、
上記実混色網濃度演算手段は、上記注目画素の実混色網濃度を求める
ことを特徴とする、請求項１５記載の印刷機の絵柄色調制御装置。
【請求項１７】
上記印刷対象絵柄のｋｃｍｙ網点面積率データに基づいて上記印刷絵柄の画像を表示する表示装置と、
上記インキ供給単位幅毎に、一画素，連続する一塊の複数画素，全画素の何れかを選定するための入力手段とをそなえ、
上記注目画素設定手段は、上記入力手段を介して選定された画素を上記注目画素として設定する
ことを特徴とする、請求項１６記載の印刷機の絵柄色調制御装置。
【請求項１８】
上記注目画素設定手段により、連続する一塊の複数画素、又は、全画素が上記注目画素として設定されると、
上記網点面積率演算手段は、上記の複数の画素からなる画素群の平均網点面積率を求め、
上記実混色網濃度演算手段は、上記画素群の実平均混色網濃度を演算する
ことを特徴とする、請求項１７記載の印刷機の絵柄色調制御装置。
【請求項１９】
上記注目画素設定手段は、上記注目画素としてインキ色毎に各画素の網点面積率に対して最も自己相関が大きい画素を自動抽出する
ことを特徴とする、請求項１６記載の印刷機の絵柄色調制御装置。
【請求項２０】
上記注目画素設定手段は、上記注目画素としてインキ色毎に各画素の網点面積率に対して最も自己相関が大きい画素とその周辺の複数の画素からなる画素群を自動抽出し、
上記網点面積率演算手段は、上記画素群の平均網点面積率を求め、
上記実混色網濃度演算手段は、上記画素群の実平均混色網濃度を演算する
ことを特徴とする、請求項１６記載の印刷機の絵柄色調制御装置。
【請求項２１】
予め設定した網点面積率と色座標値との対応関係に基づき、上記目標網点面積率に対応する目標色座標値を求める目標色座標値演算手段と、
予め設定した混色網濃度と色座標値との対応関係に基づき、上記ＩＲＧＢ濃度計で計測された上記注目画素の実混色網濃度に対応する実色座標値を求める実色座標値演算手段と、
上記目標色座標値と上記実色座標値との色差を求める色差演算手段と、
上記実色座標値及び上記色差の少なくとも１つを表示する表示装置とをそなえた
ことを特徴とする、請求項１６〜２０の何れか１項に記載の印刷機の絵柄色調制御装置。
【請求項２２】
上記受信手段は、記憶媒体又はネットワークを介して、上記印刷対象絵柄のｋｃｍｙ網点面積率データと上記基準印刷機のＩＣＣプロファイルとを取得する
ことを特徴とする、請求項１６〜２１の何れか１項に記載の印刷機の絵柄色調制御装置。
【発明の詳細な説明】
【技術分野】
【０００１】
本発明は、印刷機の絵柄色調制御方法及び装置に関し、特に、ＩＲＧＢ濃度計を用いて色調を制御する絵柄色調制御方法及び装置に関する。
【背景技術】
【０００２】
従来行われていた印刷機の絵柄の色調制御の方法として、絵柄とともに印刷シートの余白部分に色調検査用のカラーパッチを印刷し、このカラーパッチの分光反射率を分光計にて測定して、その測定結果から絵柄の色調の目標とする色調からのずれを検出して各色のインキ供給量を制御する方法がある。しかしながら、この方法では、印刷シートにカラーパッチを印刷するための余白が必要なため、余白の分だけ紙を無駄にしてしまう。
【０００３】
この問題に対し特許文献１及び特許文献２には、カラーパッチを用いることなく、絵柄自体の絵柄の色調制御を行う方法が提案されている。これらの文献に開示された方法は、要約すると次のような手順となる。
まず、各色の印刷ユニットで印刷された絵柄の分光反射率を分光計にて測定する。そして、インキキーのキーゾーン毎に分光反射率（キーゾーン全体の平均分光反射率）を演算し、さらに各キーゾーンの分光反射率を国際照明委員会が提唱する色座標値（Ｌ*ａ*ｂ*）に変換する。各色のインキ供給量を調整して試印刷を行い、所望の色調を有する印刷シート（以下、ＯＫシートという）が得られたら、ＯＫシートの各キーゾーンの色座標値を目標色座標値に設定する。次に、本印刷を開始してキーゾーン毎にＯＫシートと印刷シート（以下、本印刷で得られた印刷シートを本刷りシートという）との色座標値の差（色差）を算出し、色差に対する各印刷ユニットのインキキーの開度の増減量を計算して、色差がゼロになるように各印刷ユニットの各インキキーの開度をオンライン制御によって調整する。
【特許文献１】特開２００１−１８３６４号公報
【特許文献２】特開２００１−４７６０５号公報
【発明の開示】
【発明が解決しようとする課題】
【０００４】
しかしながら、上記特許文献に開示された方法には、以下のような課題がある。まず、上記方法では、計測手段として分光計を用いているが、分光計はコストが高く、さらに、分光計は新聞用輪転機のように計測対象（この場合は印刷シート）が極めて高速で移動する場合には処理能力上追従することができない。また、上記方法では、ＯＫシートが印刷されてから色調制御が開始されることになるため、立ち上がりからＯＫシートが印刷されるまでの間に多くの損紙が発生してしまう。また、客先からの注文には、絵柄中の特定の注目点について特に厳しい色調管理を要求される場合があるが、このように特定の注目点について色調制御したい場合には、基準となる画像データとして上流の製版工程からＣＩＰ３データ〔ＣＩＰ３（Cooperation for Integration of Prepress, Press, Postpress）規格のＰＰＦ（Print Production Format）データ〕等のデータをもらわなければならない。
【０００５】
本発明は、上述の課題に鑑み創案されたもので、分光計よりもコストが低いＩＲＧＢ濃度計を用いて、ＯＫシートが印刷されるのを待つまでもなく印刷開始直後から印刷依頼元等が所望する色調に正確、且つ容易に色合わせできるようにした、印刷機の絵柄色調制御方法および装置を提供することを目的とする。
【課題を解決するための手段】
【０００６】
上記の目的を達成するために、請求項１記載の本発明の印刷機の絵柄色調制御方法は、外部から印刷対象絵柄のｋｃｍｙ網点面積率データと色調の基準になる基準印刷機のＩＣＣプロファイルとを取得するステップと、上記印刷対象絵柄のｋｃｍｙ網点面積率データから網点面積率を求めるステップと、上記基準印刷機のＩＣＣプロファイルと自機のＩＣＣプロファイルとを用いて上記網点面積率から上記自機に対応した各インキ色の目標網点面積率を求めるステップと、予め設定した網点面積率と単色網濃度との対応関係に基づき、上記目標網点面積率に対応する目標単色網濃度を求めるステップと、ＩＲＧＢ濃度計を用いて、印刷された本刷りシートの実混色網濃度を求めるステップと、予め設定した網点面積率と混色網濃度との対応関係に基づき、上記実混色網濃度に対応する各インキ色の実網点面積率を求めるステップと、上記の予め設定した網点面積率と単色網濃度との対応関係に基づき、上記実網点面積率に対応する実単色網濃度を求めるステップと、予め設定した網点面積率と単色網濃度とベタ濃度との対応関係に基づき、上記目標網点面積率のもとでの上記目標単色網濃度と上記実単色網濃度との偏差に対応するベタ濃度偏差を求めるステップと、上記ベタ濃度偏差に基づき上記自機のインキ供給量を調整するステップとを実行することを特徴としている。
【０００７】
なお、目標網点面積率については、実網点面積率のように毎回求める必要はなく、外部から取得する印刷対象絵柄のｋｃｍｙ網点面積率データが変わらない限りは一度求めておけばよく、目標単色網濃度についても、実単色網濃度のように毎回求める必要はなく、目標網点面積率が変わらない限りは一度求めておけばよい。
また、インキ供給装置のインキ供給単位幅とは、インキ供給装置がインキキー装置である場合には各インキキーのキー幅（キーゾーン）のことであり、インキ供給装置がデジタルポンプ装置である場合には各デジタルポンプのポンプ幅のことである。
【０００８】
請求項２記載の印刷機の絵柄色調制御方法は、請求項１記載の方法において、上記基準印刷機のＩＣＣプロファイルは上記基準印刷機での網点面積率と色座標値との対応関係を規定した変換テーブルであるとともに、上記自機のＩＣＣプロファイルは上記自機での網点面積率と色座標値との対応関係を規定した変換テーブルであり、上記目標網点面積率を求めるステップでは、上記基準印刷機のＩＣＣプロファイルを用いて上記網点面積率に対応する色座標値を求めた後、上記自機のＩＣＣプロファイルを用いて上記色座標値に対応する網点面積率を求めることを特徴としている。
【０００９】
請求項３記載の印刷機の絵柄色調制御方法は、請求項１又は２記載の方法において、上記網点面積率を求めるステップでは、印刷対象絵柄をインキ供給装置のインキ供給単位幅で分割したときの上記インキ供給単位幅毎の網点面積率を求め、上記実混色網濃度を求めるステップでは、上記インキ供給単位幅毎に実混色網濃度を求め、上記インキ供給量を調整するステップでは、上記インキ供給単位幅毎にインキ供給量を調整することを特徴としている。
【００１０】
請求項４記載の印刷機の絵柄色調制御方法は、請求項３記載の方法において、上記取得ステップと上記網点面積率を求めるステップとの間に、上記印刷対象絵柄を構成する画素の中から上記インキ供給単位幅毎に各インキ色に対応する注目画素をそれぞれ選定するステップをさらにそなえ、上記網点面積率を求めるステップでは、上記注目画素の網点面積率を求め、上記実混色網濃度を求めるステップでは、上記注目画素の実混色網濃度を求めることを特徴としている。
【００１１】
請求項５記載の印刷機の絵柄色調制御方法は、請求項４記載の方法において、上記注目画素を選定するステップでは、上記印刷対象絵柄のｋｃｍｙ網点面積率データに基づいて印刷対象絵柄の画像を表示装置に表示し、上記表示された印刷対象絵柄の画像から上記注目画素を選定することを特徴としている。
請求項６記載の印刷機の絵柄色調制御方法は、請求項４又は５記載の方法において、上記注目画素を選定するステップでは、インキ供給単位幅毎に、一画素，連続する一塊の複数画素，全画素の何れかを上記注目画素として選定することを特徴としている。
【００１２】
請求項７記載の印刷機の絵柄色調制御方法は、請求項６記載の方法において、上記注目画素を選定するステップで、連続する一塊の複数画素、又は、全画素を上記注目画素として選定した場合、上記網点面積率を求めるステップでは、上記の複数の画素からなる画素群の平均網点面積率を求め、上記実混色網濃度を求めるステップでは、上記画素群の実平均混色網濃度を求めることを特徴としている。
【００１３】
請求項８記載の印刷機の絵柄色調制御方法は、請求項４記載の方法において、上記注目画素を選定するステップでは、上記注目画素としてインキ色毎に各画素の網点面積率に対して最も自己相関が大きい画素を自動抽出することを特徴としている。
請求項９記載の印刷機の絵柄色調制御方は、請求項４記載の方法において、上記注目画素を選定するステップでは、上記注目画素としてインキ色毎に各画素の網点面積率に対して最も自己相関が大きい画素とその周辺の複数の画素からなる画素群を自動抽出し、上記網点面積率を求めるステップでは、上記画素群の平均網点面積率を求め、上記実混色網濃度を求めるステップでは、上記画素群の実平均混色網濃度を求めることを特徴としている。
【００１４】
請求項１０記載の印刷機の絵柄色調制御方法は、請求項４〜９の何れか１項に記載の方法において、予め設定した網点面積率と色座標値との対応関係に基づき、上記目標網点面積率に対応する目標色座標値を求めるステップと、予め設定した混色網濃度と色座標値との対応関係に基づき、上記ＩＲＧＢ濃度計で計測された上記注目画素の実混色網濃度に対応する実色座標値を求めるステップと、上記目標色座標値と上記実色座標値との色差を求めるステップと、上記実色座標値及び上記色差の少なくとも１つを表示装置に表示するステップとをさらに実行することを特徴としている。
【００１５】
請求項１１記載の印刷機の絵柄色調制御方法は、請求項１〜１０の何れか１項に記載の方法において、上記取得ステップでは、記憶媒体又はネットワークを介して、上記印刷対象絵柄のｋｃｍｙ網点面積率データと上記基準印刷機のＩＣＣプロファイルとを取得することを特徴としている。
請求項１２記載の印刷機の絵柄色調制御方法は、請求項１〜１１の何れか１項に記載の方法において、上記取得ステップでは、最初に印刷対象絵柄のビットマップデータを取得して、上記ビットマップデータをＣＩＰ３データ相当の低解像度データに変換したものを上記印刷対象絵柄のｋｃｍｙ網点面積率データとして用いることを特徴としている。
【００１６】
請求項１３記載の印刷機の絵柄色調制御装置は、外部から印刷対象絵柄のｋｃｍｙ網点面積率データと色調の基準になる基準印刷機のＩＣＣプロファイルとを受信する受信手段と、上記印刷対象絵柄のｋｃｍｙ網点面積率データから網点面積率を求める網点面積率演算手段と、上記基準印刷機のＩＣＣプロファイルと自機のＩＣＣプロファイルとを用いて上記網点面積率から上記自機に対応した各インキ色の目標網点面積率を求める目標網点面積率演算手段と、予め設定した網点面積率と単色網濃度との対応関係に基づき、上記目標網点面積率に対応する目標単色網濃度を求める目標単色網濃度演算手段と、印刷シートにインキを供給するインキ供給装置と、印刷された本刷りシートの走行ライン上に配置されたＩＲＧＢ濃度計と、上記ＩＲＧＢ濃度計により得られた計測情報から上記本刷りシートの実混色網濃度を求める実混色網濃度演算手段と、予め設定した網点面積率と混色網濃度との対応関係に基づき、上記実混色網濃度に対応する各インキ色の実網点面積率を求める実網点面積率演算手段と、上記の予め設定した網点面積率と単色網濃度との対応関係に基づき、上記実網点面積率に対応する実単色網濃度を求める実単色網濃度演算手段と、予め設定した網点面積率と単色網濃度とベタ濃度との対応関係に基づき、上記目標網点面積率のもとでの上記目標単色網濃度と上記実単色網濃度との偏差に対応するベタ濃度偏差を求めるベタ濃度偏差演算手段と、上記ベタ濃度偏差に基づき上記インキ供給装置のインキ供給量を調整するインキ供給量調整手段とを備えたことを特徴としている。
【００１７】
請求項１４記載の印刷機の絵柄色調制御装置は、請求項１３記載の装置において、上記基準印刷機のＩＣＣプロファイルは上記基準印刷機での網点面積率と色座標値との対応関係を規定した変換テーブルであるとともに、上記自機のＩＣＣプロファイルは上記自機での網点面積率と色座標値との対応関係を規定した変換テーブルであり、上記目標網点面積率演算手段は、上記基準印刷機のＩＣＣプロファイルを用いて上記網点面積率に対応する色座標値を求めた後、上記自機のＩＣＣプロファイルを用いて上記色座標値に対応する網点面積率を求めることを特徴としている。
【００１８】
請求項１５記載の印刷機の絵柄色調制御装置は、請求項１３又は１４記載の装置において、上記網点面積率演算手段は、印刷対象絵柄をインキ供給装置のインキ供給単位幅で分割したときの上記インキ供給単位幅毎の網点面積率を求め、上記実混色網濃度演算手段は、上記インキ供給単位幅毎に実混色網濃度を求め、上記インキ供給量調整手段は、上記インキ供給単位幅毎にインキ供給量を調整することを特徴としている。
【００１９】
請求項１６記載の印刷機の絵柄色調制御装置は、請求項１５記載の装置において、上記印刷対象絵柄を構成する画素の中から上記インキ供給単位幅毎に各インキ色に対応する注目画素をそれぞれ設定する注目画素設定手段をさらにそなえ、上記網点面積率演算手段は、上記注目画素の網点面積率を求め、上記実混色網濃度演算手段は、上記注目画素の実混色網濃度を求めることを特徴としている。
【００２０】
請求項１７記載の印刷機の絵柄色調制御装置は、請求項１６記載の装置において、上記印刷対象絵柄のｋｃｍｙ網点面積率データに基づいて上記印刷絵柄の画像を表示する表示装置と、上記インキ供給単位幅毎に、一画素，連続する一塊の複数画素，全画素の何れかを選定するための入力手段とをそなえ、上記注目画素設定手段は、上記入力手段を介して選定された画素を上記注目画素として設定することを特徴としている。
【００２１】
請求項１８記載の印刷機の絵柄色調制御装置は、請求項１７記載の装置において、上記注目画素設定手段により、連続する一塊の複数画素、又は、全画素が上記注目画素として設定されると、上記網点面積率演算手段は、上記の複数の画素からなる画素群の平均網点面積率を求め、上記実混色網濃度演算手段は、上記画素群の実平均混色網濃度を演算することを特徴としている。
【００２２】
請求項１９記載の印刷機の絵柄色調制御装置は、請求項１６記載の装置において、上記注目画素設定手段は、上記注目画素としてインキ色毎に各画素の網点面積率に対して最も自己相関が大きい画素を自動抽出することを特徴としている。
請求項２０記載の印刷機の絵柄色調制御装置は、請求項１６記載の装置において、上記注目画素設定手段は、上記注目画素としてインキ色毎に各画素の網点面積率に対して最も自己相関が大きい画素とその周辺の複数の画素からなる画素群を自動抽出し、上記網点面積率演算手段は、上記画素群の平均網点面積率を求め、上記実混色網濃度演算手段は、上記画素群の実平均混色網濃度を演算することを特徴としている。
【００２３】
請求項２１記載の印刷機の絵柄色調制御装置は、請求項１６〜２０の何れか１項に記載の装置において、予め設定した網点面積率と色座標値との対応関係に基づき、上記目標網点面積率に対応する目標色座標値を求める目標色座標値演算手段と、予め設定した混色網濃度と色座標値との対応関係に基づき、上記ＩＲＧＢ濃度計で計測された上記注目画素の実混色網濃度に対応する実色座標値を求める実色座標値演算手段と、上記目標色座標値と上記実色座標値との色差を求める色差演算手段と、上記実色座標値及び上記色差の少なくとも１つを表示する表示装置とをそなえたことを特徴としている。
【００２４】
請求項２２記載の印刷機の絵柄色調制御装置は、請求項１６〜２１の何れか１項に記載の装置において、上記受信手段は、記憶媒体又はネットワークを介して、上記印刷対象絵柄のｋｃｍｙ網点面積率データと上記基準印刷機のＩＣＣプロファイルとを取得することを特徴としている。
【発明の効果】
【００２５】
本発明の印刷機の絵柄色調制御方法及び装置によれば、分光計ではなくＩＲＧＢ濃度計を用いて色調制御を行うことができるので、計測手段にかかるコストが低減できるとともに新聞輪転機のような高速印刷機にも十分に対応することができる。また、印刷依頼元等の外部から得た印刷対象絵柄のｋｃｍｙ網点面積率データと基準印刷機のＩＣＣプロファイルと、さらに自機のＩＣＣプロファイルとを用いて色調を制御するので、ＯＫシートが印刷されるのを待つまでもなく、印刷開始直後から、印刷依頼元等が所望する色調に正確、且つ容易に色合わせすることができる。さらに、従来行われている校正刷りと比較しながらの色合わせに比較して、より効率よく色調制御を行なうことができ、ＯＫシートが得られるまでの損紙の発生量を大幅に低減することもできる。
【００２６】
特に、印刷開始前に絵柄の特定の注目点を設定しておけば、この注目点について正確に色調制御を行うことが可能になる。また、各色・各画素の網点面積率に対して最も自己相関が大きい画素を注目点として設定する場合には、センシング感度が向上するため、所望の色調に速やかに合わせることが可能になる。
【発明を実施するための最良の形態】
【００２７】
以下、図面を参照して本発明の実施の形態を説明する。
図１は本発明の一実施形態にかかる新聞用オフセット輪転機の概略構成を示す図である。本実施形態の新聞用オフセット輪転機は多色刷りの両面印刷機であり、印刷シート８の搬送経路に沿って、インキ色〔墨（ｋ）、藍（ｃ）、紅（ｍ）、黄（ｙ）〕毎に印刷ユニット２ａ，２ｂ，２ｃ，２ｄが設置されている。本実施形態では、印刷ユニット２ａ，２ｂ，２ｃ，２ｄは、インキキー７とインキ元ローラ６とからなるインキキー式のインキ供給装置を備えている。この形式のインキ供給装置では、インキキー７のインキ元ローラ６に対する隙間量（以下、この隙間量をインキキー開度という）によりインキ供給量を調整することができる。また、インキキー７は印刷幅方向に複数並置されており、インキキー７の幅単位（以下、インキキー７によるインキ供給単位幅をキーゾーンという）でインキ供給量を調整することができる。インキキー７により供給量を調整されたインキは、インキローラ群５内で適度に練られ、薄膜を形成した後に版胴４の版面に供給され、版面に付着したインキがブランケット胴３を介して絵柄として印刷シート８に転写される。なお、図１中では省略しているが、本実施形態の新聞用オフセット輪転機は両面刷りなので、各印刷ユニット２ａ，２ｂ，２ｃ，２ｄには、印刷シート８の搬送経路を挟むようにして一対のブランケット胴３，３が備えられ、各ブランケット胴３に対して版胴４やインキ供給装置が設けられている。
【００２８】
本実施形態の新聞用オフセット輪転機は、最下流の印刷ユニット２ｄのさらに下流にラインセンサ型ＩＲＧＢ濃度計（ＩＲＧＢ濃度計）１を備えている。ラインセンサ型ＩＲＧＢ濃度計１は印刷シート８上の絵柄の色を印刷幅方向ライン状にＩ（赤外光）、Ｒ（赤）、Ｇ（緑）、Ｂ（青）の反射濃度（混色網濃度）として計測する計測器であり、印刷シート８全体の反射濃度を計測したり、任意の位置の反射濃度を計測したりすることが可能である。本実施形態の新聞用オフセット輪転機は両面刷りなので、ラインセンサ型ＩＲＧＢ濃度計１は印刷シート８の搬送経路を挟むようにして表裏両側に配置され、表裏両面の反射濃度を計測できるようになっている。
【００２９】
ラインセンサ型ＩＲＧＢ濃度計１により計測された反射濃度は演算装置１０に送信される。演算装置１０はインキ供給量の制御データを演算する装置であり、ラインセンサ型ＩＲＧＢ濃度計１で計測された反射濃度に基づいて演算を行い、印刷シート８の絵柄の色を目標色に一致させるためのインキキー７の開度を演算している。ここで、図２は本発明の一実施形態にかかる新聞用オフセット輪転機の絵柄色調制御装置の概略構成を示す図であると同時に、演算装置１０の色調制御機能に着目した機能ブロック図である。
【００３０】
演算装置１０は、印刷機とは離れて設置されたＤＳＰ（ディジタル・シグナル・プロセッサ。注目画素設定手段，網点面積率演算手段，実混色網濃度演算手段に相当する機能を有する）１１とＰＣ（パソコン）１２とから構成され、ＰＣ１２には色変換部（目標網点面積率演算手段，目標単色網濃度演算手段，実網点面積率演算手段，実単色網濃度演算手段，ベタ濃度偏差演算手段に相当する機能を有する）１４，インキ供給量演算部１５，オンライン制御部１６，キー開度リミッタ演算部１７及び受信部（受信手段）１８としての機能が割り当てられている。演算装置１０の入力側には、ラインセンサ型ＩＲＧＢ濃度計１が接続され、出力側には印刷機内蔵の制御装置２０が接続されている。制御装置２０は、インキキー７のキーゾーン毎にインキ供給量を調整するインキ供給量調整手段として機能するものであり、インキキー７を開閉させる図示しない開閉装置を制御しており、各印刷ユニット２ａ，２ｂ，２ｃ，２ｄのインキキー７毎に独立してキー開度を調整することができる。また、演算装置１０には表示装置としてのタッチパネル（入力手段の機能も有する）３０が接続されている。
【００３１】
図３，図４は演算装置１０による色調制御の処理フローを示す図である。以下、図３，図４を中心に演算装置１０による色調制御の処理内容について説明する。
本実施形態では、受信部１８により記憶媒体やネットワーク（有線，無線の何れでもよい）などを介して、外部（例えば、印刷会社に対する印刷依頼元、新聞社の印刷工場に対する新聞社の本社、等）から、新聞紙の紙面情報（印刷対象絵柄のｋｃｍｙ網点面積率データ）と、紙面の色情報を作成した入力装置のＩＣＣ（International Color Consortium）プロファイル（以下、基準印刷機のＩＣＣプロファイルという）とを取得するようになっている。ここでは、新聞社の本社から新聞紙の紙面情報がビットマップデータ（１ｂｉｔ−Ｔｉｆｆ製版用データ）の形式で印刷工場に送信されてくるものとする。上記ＩＣＣプロファイルは、今回の印刷において色調の基準となる基準印刷機の網点面積率と色座標値との対応関係を規定した変換テーブルである。
【００３２】
まず、ＤＳＰ１１は、ステップＴ１０として、受信部１８を介して取得したビットマップデータを印刷機のフォーマットに応じたＣＩＰ３データ相当の低解像度データに変換し、この低解像度データを網点面積率データとして用いる。この解像度の変換処理は一般的なＣＩＰ３データとの共用を図るためであるが、後の処理においてビットマップデータそのものを網点面積率データとして用いることも可能である。また、ＤＳＰ１１にはタッチパネル３０に接続されており、このタッチパネル３０には、送信されたビットマップデータに基づいて新聞紙面の絵柄画像が表示されるようになっている。
【００３３】
ステップＴ２０では、タッチパネル３０に表示された絵柄画像に直接手で或いはタッチペンなどを使って、キーゾーン毎に各インキ色に対応する特定の注目点（注目画素）をそれぞれ設定する。注目点は、タッチパネル３０に表示された絵柄画像上の特定点を任意に選択することで指定され、演算装置１０のＤＳＰ１１へ入力される。注目点とは印刷シート８上の特に色を一致させたい絵柄の位置であり、キーゾーン毎に、特定の一画素、又は、連続する一塊の複数画素、又は、全画素を指定することができる。オペレータにより注目点が指定されていないキーゾーンについては、ＤＳＰ１１が注目点を自動設定する。この自動設定は、各色・各画素の網点面積率に対して最も自己相関が大きい画素を演算して自動抽出することにより行なう。具体的には、例えば、シアンの自己相関感度Ｈｃは、網点面積率データ（ｋ，ｃ，ｍ，ｙ）を用いて、“Ｈｃ＝ｃ2／（ｋ＋ｃ＋ｍ＋ｙ）”で表すことができ、この自己相関感度Ｈｃの値が最も高い画素がシアンの注目点となる。同様に他のインキ色についても自己相関感度が最も高い画素を演算し、その画素を注目点として設定する。また、例えばオペレータが指定した任意の絵柄ポイント中に無い色及び絵柄面積の少ない色は自動で設定することも可能である。
【００３４】
なお、１つのキーゾーンについて、連続する一塊の複数画素、又は、全画素が注目点として指定されて注目点が複数画素の集合である場合には、ＤＳＰ１１はこれら注目点を構成する複数画素で平均処理する。また、例えば、オペレータにより任意の一画素が選択されたり、最も自己相関感度の高い画素が自動選択されたら、その周辺の画素も含めた画素群を注目点として選定し、この画素群の網点面積率を平均処理するようにしてもよい。注目点に含める周辺画素の画素数やその選択パターンは固定（例えば、選択或いは自動抽出された画素を囲む周辺８画素）してもよいが、好ましくは、選択或いは自動抽出された画素の絵柄内での位置等を考慮して外乱の影響が抑制されるように設定する。これによれば、印刷紙面の蛇行や天地ずれによって計測データが変動することが少なくなるので、安定したフィードバック制御が可能になる。
【００３５】
次に、色変換部１４は、ステップＴ３０として、ＤＳＰ１１から入力された注目点の網点面積率ｋｉ，ｃｉ，ｍｉ，ｙｉを、新聞社の本社から送信された基準印刷機のＩＣＣプロファイルを用いて色座標値Ｌ，ａ，ｂに変換するようになっている。また、この変換の後、ステップＴ４０として、予め用意された自機のＩＣＣプロファイルを用いて上記色座標値Ｌ，ａ，ｂを網点面積率ｋ’，ｃ’，ｍ’，ｙ’に変換するようになっている。自機のＩＣＣプロファイルとは、今回の印刷において制御対象となる印刷機の網点面積率と色座標値との対応関係を規定した変換テーブルである。このように基準印刷機のＩＣＣプロファイルと自機のＩＣＣプロファイルとを用いることで、印刷対象絵柄の網点面積率から自機に対応した網点面積率を求めることができる。
【００３６】
さらに、色変換部１４は、ステップＴ５０として、網点面積率ｋ’，ｃ’，ｍ’，ｙ’を目標網点面積率ｋｏ，ｃｏ，ｍｏ，ｙｏとして設定するようになっている。つまり、このようにして設定した目標網点面積率ｋｏ，ｃｏ，ｍｏ，ｙｏを用いれば、自機の色調を基準印刷機の色調に合わせることが可能となる。
以上のように目標網点面積率ｋｏ，ｃｏ，ｍｏ，ｙｏが設定されたら、印刷を開始して図４に示すフローチャートのステップＵ１０以降の処理を繰り返し実行する。まず、ステップＵ１０として、ラインセンサ型ＩＲＧＢ濃度計１が印刷シート８全面の一画素毎の反射光量ｉ’，ｒ’，ｇ’，ｂ’を計測する。ラインセンサ型ＩＲＧＢ濃度計１で計測された各画素の反射光量ｉ’，ｒ’，ｇ’，ｂ’はＤＳＰ１１に入力される。ただし、フロー開始時には印刷シートは白紙であるため、ライセンサ型ＩＲＧＢ濃度計１は白紙の反射光量を計測し、この計測した白紙の反射光量をＤＳＰ１２に入力する。
【００３７】
ＤＳＰ１１は、ステップＵ２０として、各画素の反射光量ｉ’，ｒ’，ｇ’，ｂ’について所定の印刷枚数単位で移動平均を行うことで、ノイズ成分を除去した各画素の反射光量ｉ，ｒ，ｇ，ｂを算出する。そして、ステップＵ３０として、反射光量ｉ，ｒ，ｇ，ｂをキーゾーン毎に平均処理し、白紙部分の反射光量を基準とする混色網濃度（実混色網濃度）Ｉ，Ｒ，Ｇ，Ｂを演算する。例えば、白紙部分の赤外光の反射光量をｉｐとし、キーゾーン内の赤外光の平均反射光量をｉｋとすると、赤外光の実混色網濃度ＩはＩ＝ｌｏｇ10（ｉｐ／ｉｋ）として求められる。ＤＳＰ１１で演算されたキーゾーン毎の実混色網濃度Ｉ，Ｒ，Ｇ，Ｂは、ＰＣ１２の色変換部１４に入力される。
【００３８】
色変換部１４は、ステップＵ４０，Ｕ５０及びＵ６０の処理を行う。まず、ステップＵ４０として、ステップＵ３０で演算された実混色網濃度Ｉ，Ｒ，Ｇ，Ｂに対応する各インキ色の網点面積率をそれぞれ演算する。ＰＣ１２の色変換部１４は、各インキ色の網点面積率と混色網濃度とを関連付けるデータベース１４１を備えている。データベース１４１は、ＩＳＯ／ＴＣ１３０国内委員会が制定した新聞印刷ＪａｐａｎＣｏｌｏｒ基準の印刷物を印刷し、ラインセンサ型ＩＲＧＢ濃度計１で実測したデータ〔標準色の網点面積率（ｋ，ｃ，ｍ，ｙ）と混色網濃度（Ｉ，Ｒ，Ｇ，Ｂ）と色座標値（Ｌ，ａ，ｂ）の対応関係を規定した変換テーブル〕を基準にして作成されている。この演算にはデータベース１４１を用い、データベース１４１に記憶された対応関係に基づき、実混色網濃度Ｉ，Ｒ，Ｇ，Ｂに対応する各インキ色の網点面積率を実網点面積率ｋ，ｃ，ｍ，ｙとして演算する。
【００３９】
次に、色変換部１４は、ステップＵ５０として、図３に示すフローチャートのステップＴ５０で設定された目標網点面積率ｋｏ，ｃｏ，ｍｏ，ｙｏ、及び実網点面積率ｋ，ｃ，ｍ，ｙに対応する各インキ色の単色網濃度をそれぞれ演算する。この演算には、図５に示すようなマップを用いる。図５は網点面積率を変化させた場合に実測される単色網濃度を特性曲線としてプロットしたマップの一例であり、事前に測定されたデータにより作成されている。ここでは、網点面積率が大きくなるにつれて単色網濃度の増加率がしだいに大きくなるマップを用いている。図５に示す例では、墨色の目標網点面積率ｋｏ、実網点面積率ｋをマップに照らし合わせることで、マップ中の特性曲線からそれぞれ目標単色網濃度Ｄａｋｏと実単色網濃度Ｄａｋとが求められている。このようにして、色変換部１４は、各インキ色の目標単色網濃度Ｄａｋｏ，Ｄａｃｏ，Ｄａｍｏ，Ｄａｙｏと実単色網濃度Ｄａｋ，Ｄａｃ，Ｄａｍ，Ｄａｙとを求める。
【００４０】
次に、色変換部１４は、ステップＵ６０として、目標単色網濃度Ｄａｋｏ，Ｄａｃｏ，Ｄａｍｏ，Ｄａｙｏと実単色網濃度Ｄａｋ，Ｄａｃ，Ｄａｍ，Ｄａｙとの偏差に対応する各インキ色のベタ濃度偏差ΔＤｓｋ，ΔＤｓｃ，ΔＤｓｍ，ΔＤｓｙを演算する。なお、ベタ濃度は網点面積率にも依存しており、同単色網濃度に対しては、網点面積率が高いほどベタ濃度は低くなる。そこで、色変換部１４は、図６に示すようなマップを用いて演算を行う。図６は単色ベタ濃度を変化させた場合に実測される単色網濃度を網点面積率毎に特性曲線としてプロットしたマップの一例であり、事前に測定されたデータにより作成されている。ここでは、各網点面積率について、ベタ濃度が大きくなるにつれて単色網濃度が線形又は略線形に増加するマップを用いている。色変換部１４は、各インキ色について目標網点面積率ｋｏ，ｃｏ，ｍｏ，ｙｏに対応する特性曲線を図６に示すマップから選択し、選択した特性曲線に目標単色網濃度Ｄａｋｏ，Ｄａｃｏ，Ｄａｍｏ，Ｄａｙｏと実単色網濃度Ｄａｋ，Ｄａｃ，Ｄａｍ，Ｄａｙとを対応させることにより、ベタ濃度偏差ΔＤｓｋ，ΔＤｓｃ，ΔＤｓｍ，ΔＤｓｙを求める。図６に示す例では、墨色の目標網点面積率ｋｏが７５％の場合に、目標単色網濃度Ｄａｋｏ、実単色網濃度Ｄａｋをマップに照らし合わせることで、マップ中の７５％特性曲線から墨色のベタ濃度偏差ΔＤｓｋが求められている。
【００４１】
色変換部１４で演算された各インキ色のベタ濃度偏差ΔＤｓｋ，ΔＤｓｃ，ΔＤｓｍ，ΔＤｓｙは、インキ供給量演算部１５に入力される。インキ供給量演算部１５は、ステップＵ７０として、ベタ濃度偏差ΔＤｓｋ，ΔＤｓｃ，ΔＤｓｍ，ΔＤｓｙに対応するキー開度偏差量ΔＫｋ，ΔＫｃ，ΔＫｍ，ΔＫｙを演算する。キー開度偏差量ΔＫｋ，ΔＫｃ，ΔＫｍ，ΔＫｙは、各インキキー７の現在のキー開度Ｋｋ０，Ｋｃ０，Ｋｍ０，Ｋｙ０（前回のステップＵ１００の処理で印刷機の制御装置２０に出力したキー開度Ｋｋ，Ｋｃ，Ｋｍ，Ｋｙ）に対する増減量であり、インキ供給量演算部１５は、公知のＡＰＩ関数（オートプリセットインキング関数）を用いて演算を行う。ＡＰＩ関数は基準濃度にするため各キーゾーンの網点面積率（ｋ，ｃ，ｍ，ｙ）とキー開度Ｋ（Ｋｋ，Ｋｃ，Ｋｍ，Ｋｙ）との対応関係を示した関数である。網点面積率は、新聞社の本社から送信されたビットマップデータを用いることができる。具体的には、基準濃度Ｄｓ（Ｄｓｋ，Ｄｓｃ，Ｄｓｍ，Ｄｓｙ）に対するベタ濃度偏差ΔＤｓ（ΔＤｓｋ，ΔＤｓｃ，ΔＤｓｍ，ΔＤｓｙ）の比率ｋｄ（ｋｄ＝ΔＤｓ／Ｄｓ）を求めるとともに、網点面積率に対する基準濃度にするためのキー開度ＫをＡＰＩ関数を使って求め、これらの積としてベタ濃度偏差ΔＤｓをゼロにするためのキー開度偏差量ΔＫ（ΔＫ＝ｋｄ×Ｋ）を求める。
【００４２】
次に、オンライン制御部１６は、ステップＵ８０として、色変換部１４で演算されたキー開度偏差量ΔＫｋ，ΔＫｃ，ΔＫｍ，ΔＫｙを、各印刷ユニット２ａ，２ｂ，２ｃ，２ｄからラインセンサ型ＩＲＧＢ濃度計１までの無駄時間、時間あたりのインキキー７の反応時間、及び印刷速度を考慮して補正する。この補正は、キー開度信号が入力されてからインキキー７が動き、キー開度が変更されて印刷シートに供給されるインキ量が変化し、ＩＲＧＢ濃度計１に反射光量の変化として検出されるまでの時間遅れを考慮したものである。このようなむだ時間の大きいオンラインフィードバック制御系としては、例えばむだ時間補償付ＰＩ制御、ファジー制御、ロバスト制御等が最適である。オンライン制御部１６は、補正後のキー開度偏差量（オンライン制御用キー開度偏差量）ΔＫｋ，ΔＫｃ，ΔＫｍ，ΔＫｙに現在のキー開度Ｋｋ０，Ｋｃ０，Ｋｍ０，Ｋｙ０を加算したオンライン制御用キー開度Ｋｋ１，Ｋｃ１，Ｋｍ１，Ｋｙ１をキー開度リミッタ演算部１７に入力する。
【００４３】
キー開度リミッタ演算部１７は、ステップＵ９０として、オンライン制御部１６で演算されたオンライン制御用キー開度Ｋｋ１，Ｋｃ１，Ｋｍ１，Ｋｙ１に対して上限値を規制する補正を行う。これは、特に低画線部における色変換アルゴリズム（ステップＵ４０，Ｕ５０，Ｕ６０の処理）の推定誤差によりキー開度が異常に増大することを規制するための処理である。そして、キー開度リミッタ演算部１７は、ステップＵ１００として、上限値を規制したキー開度Ｋｋ，Ｋｃ，Ｋｍ，Ｋｙをキー開度信号として印刷機の制御装置２０に送信する。
【００４４】
印刷機の制御装置２０は、ステップＵ１１０として、演算装置１０から送信されたキー開度信号Ｋｋ，Ｋｃ，Ｋｍ，Ｋｙに基づき各印刷ユニット２ａ，２ｂ，２ｃ，２ｄの各インキキー７の開度を調節する。これにより、各インキ色のインキ供給量は、キーゾーン毎に目標とする色調に見あったものにコントロールされることとなる。
【００４５】
上述したように、本実施形態に係る色調制御方法及び装置によれば、印刷依頼元等から得た印刷対象絵柄のｋｃｍｙ網点面積率データと基準印刷機のＩＣＣプロファイルと、さらに自機のＩＣＣプロファイルとを用いて色調を制御するので、ＯＫシートが印刷されるのを待つまでもなく、印刷開始直後から、印刷依頼元等が所望する色調に正確、且つ容易に色合わせすることが可能になる。また、従来行われている校正刷りと比較しながらの色合わせに比較して、より効率よく色調制御を行なうことができ、ＯＫシートが得られるまでの損紙の発生量を大幅に低減することもできる。
【００４６】
特に、印刷開始前に絵柄の特定の注目点を設定しておけば、この注目点について正確に色調制御を行うことが可能になる。また、各色・各画素の網点面積率に対して最も自己相関が大きい画素を注目点として設定する場合には、センシング感度が向上するため、所望の色調に速やかに合わせることが可能になる。
また、注目点を一画素、又は、連続する一塊の複数画素で選定したときには、計測値をキーゾーン全体で平均化しないので、キーゾーン内の絵柄の網点面積率が低くても（例えば、キーゾーン内に１ポイントの小さな絵柄が存在しても）、ラインセンサ型ＩＲＢＧ濃度計１の計測誤差が少なく、安定した色調制御を行うことができる。
【００４７】
さらに、従来使用されていた分光計ではなくＩＲＧＢ濃度計を用いて色調制御を行なうことができるので、計測手段にかかるコストが低減できるとともに新聞輪転機のような高速印刷機にも十分に対応することができる。
【００４８】
以上、本発明の実施形態について説明したが、本発明の実施の形態は上記のものに限定されない。例えば、各インキ色の網点面積率と混色網濃度とを関連付けるデータベース１４１を備える方法の他、各インキ色の網点面積率と混色網濃度との対応関係を規定した公知のノイゲバウアーの式を記憶しておき、この式に各インキ色の網点面積率を当てはめることで混色網濃度を算出する方法を採ることもできる。
【００４９】
また、図６に示すようなマップを用いて目標単色網濃度と実単色網濃度との偏差に対応する各インキ色のベタ濃度偏差を求める方法の他、網点面積率と単色網濃度とベタ濃度との対応関係を規定した公知のユールニールセンの式を記憶しておき、この式に目標網点面積率、実網点面積率及び単色網濃度を当てはめることでベタ濃度偏差を算出する方法もある。
【００５０】
また、実施形態では、ラインセンサ型のＩＲＧＢ濃度計１を用いているが、スポット型のＩＲＧＢ濃度計を用いて印刷シート上を２次元的に走査するようにしてもよい。
さらに、上記実施形態の色調制御に、図７のフローチャートに示す方法を付加的に適用することもできる。すなわち、図７に示すように、ステップＳ４０１では、データベース１４１に記録された変換テーブルを用いて目標網点面積率ｋｏ，ｃｏ，ｍｏ，ｙｏを色座標値Ｌｏ，ａｏ，ｂｏに変換する（目標色座標値演算）。また、ステップＳ４０２では、同じく変換テーブルを用いて実混色網濃度Ｉ，Ｒ，Ｇ，Ｂを色座標値Ｌ，ａ，ｂに変換する（実色座標値演算）。そして、ステップＳ４０３では、ステップＳ４０１で求めた目標色座標値Ｌｏ，ａｏ，ｂｏとステップＳ４０２で求めた実色座標値Ｌ，ａ，ｂとの色差ΔＥ*（＝√｛（Ｌｏ−Ｌ）2＋（ａｏ−ａ）2＋（ｂｏ−ｂ）2｝を演算し（色差演算）、ステップＳ４０４では、実色座標値Ｌ，ａ，ｂと色差ΔＥ*とを表示装置３２に表示する。上記の目標色座標値演算，実色座標値演算，色差演算は、色変換部１４に目標色座標値演算手段，実色座標値演算手段，色差演算手段に相当する機能をそなえることで行なうことができる。Ｌ*ａ*ｂ*表色系は人間の色刺激に対して座標がリニアになっている表色系であるので、本方法のように注目点の色を色座標値Ｌ，ａ，ｂで表したり、注目点の目標色に対する色差ΔＥ*を表示することで、オペレータに対して色がどれだけのレベルで合っているか直感的に分かりやすくすることができる。したがって、本方法を上記実施形態の色調制御に追加実施することで、オペレータの判断を補助してより正確な色合わせが可能になる。
【図面の簡単な説明】
【００５１】
【図１】本発明の一実施形態に係る新聞用オフセット輪転機の概略構成を示す図である。
【図２】本発明の一実施形態に係る演算装置の色調制御機能に着目した機能ブロック図である。
【図３】本発明の一実施形態に係る色調制御の処理フローを示すフローチャートである。
【図４】本発明の一実施形態に係る色調制御の処理フローを示すフローチャートである。
【図５】単色網濃度を網点面積率に対応づけるマップである。
【図６】ベタ濃度を網点面積率と単色網濃度とに対応づけるマップである。
【図７】本発明の一実施形態に付加的に適用しうる色調制御の処理フローを示すフローチャートである。
【符号の説明】
【００５２】
１  ラインセンサ型ＩＲＧＢ濃度計
２ａ，２ｂ，２ｃ，２ｄ  印刷ユニット
３  ブランケット胴
４  版胴
５  インキローラ群
６  インキ元ローラ
７  インキキー
８  印刷シート
１０  演算装置
１１  ＤＳＰ
１２  ＰＣ
１４  色変換部
１５  インキ供給量演算部
１６  オンライン制御部
１７  キー開度リミッタ演算部
１８  受信部
２０  印刷機内蔵の制御装置
３０  タッチパネル
３２  表示装置
【図１】
2005205661.tif 000003
【図２】
2005205661.tif 000004
【図３】
2005205661.tif 000005
【図４】
2005205661.tif 000006
【図５】
2005205661.tif 000007
【図６】
2005205661.tif 000008
【図７】
2005205661.tif 000009